(57)【要約】【課題】多画面表示機能を持つテレビ受信機における１画面表示などの際に、他の視聴者の選局操作があっても、現在視聴中の番組画面が不意に途切れないようにすること。【解決手段】複数入力を画面分割で同時に表示することができるテレビ受信機において、視聴中に、視聴中の画面と異なる画面の割り込みが入ったときに、視聴中の画面と割り込みの入った画面とを画面分割して同時に表示する。【選択図】図２
2007251369.tif 000002
【特許請求の範囲】
【請求項１】
複数入力を画面分割で同時に表示することができるテレビ受信機であって、
視聴中に、視聴中の画面と異なる画面の割り込みが入ったときに、視聴中の画面と割り込みの入った画面とを画面分割して同時に表示する制御手段を設けたことを特徴とするテレビ受信機。
【請求項２】
請求項１に記載のテレビ受信機において、
前記制御手段は、発生させた画面分割による表示を、一定時間が経過すると非分割画面の表示に移行させることを特徴とするテレビ受信機。
【請求項３】
複数入力を画面分割で同時に表示することができると共に、少なくても画面割り込みのためのリモコンコードが２系統以上受信できるテレビ受信機であって、
少なくても１系統以上のスレーブ的なリモコンコードによる、視聴中の画面と異なる画面表示の割り込みが入ったときに、視聴中の画面と割り込みの入った画面とを画面分割して同時に表示する制御手段を設けたことを特徴とするテレビ受信機。
【請求項４】
請求項１乃至請求項３の何れか１項に記載のテレビ受信機において、
前記制御手段による前記した画面制御機能を有効にするか否かの設定を、ユーザが行えることを特徴とするテレビ受信機。
【請求項５】
複数入力を画面分割で同時に表示することができるテレビ受信機の表示制御方法であって、
視聴中に、視聴中の画面と異なる画面の割り込みが入ったときに、視聴中の画面と割り込みの入った画面とを画面分割して同時に表示することを特徴とするテレビ受信機の表示制御方法。
【請求項６】
請求項５に記載のテレビ受信機の表示制御方法において、
発生させた画面分割による表示を、一定時間が経過すると非分割画面の表示に移行させることを特徴とするテレビ受信機の表示制御方法。
【請求項７】
複数入力を画面分割で同時に表示することができると共に、少なくても画面割り込みのためのリモコンコードが２系統以上受信できるテレビ受信機の表示制御方法であって、
少なくても１系統以上のスレーブ的なリモコンコードによる、視聴中の画面と異なる画面表示の割り込みが入ったときに、視聴中の画面と割り込みの入った画面とを画面分割して同時に表示することを特徴とするテレビ受信機の表示制御方法。
【請求項８】
請求項５乃至請求項７の何れか１項に記載のテレビ受信機の表示制御方法において、
前記した画面制御機能を有効にするか否かの設定を、ユーザが行えることを特徴とするテレビ受信機の表示制御方法。
【発明の詳細な説明】
【技術分野】
【０００１】
本発明は、複数入力を画面分割で同時に表示することができるテレビ受信機およびその表示制御方法に係り、特に、他の視聴者などのザッピング（ｚａｐｐｉｎｇ；チャンネル変更操作（選局操作））があっても現在視聴中の画面が不意に途切れないようにした技術に関する。
【背景技術】
【０００２】
複数入力を画面分割で同時に表示することができる従来のテレビ受信機においては、テレビ受信状態（番組視聴状態）で選局のリモコン操作を受けると、１画面表示の際には、１画面表示のまま視聴番組が変更になり、複数画面表示の際には、複数画面のうちの１つの画面が番組変更になる。
【０００３】
図５は、従来技術による２画面表示機能を持つテレビ受信機での、選局操作による画面制御の処理の流れを示すフローチャートである。図５を用いて、従来の動作を説明する。
【０００４】
まず、ステップＳ５１で処理を開始して、ステップＳ５２においてチャンネル選局が発生しているか否かの判定を行い、チャンネル選局が発生していない場合（ステップＳ５２でＮＯ判定された場合）は、チャンネル選局の発生までステップＳ５２の処理を繰り返す。そして、チャンネル選局の発生と判定（ステップＳ５２でＹＥＳ判定）されるとステップＳ５３に進み、ステップＳ５３において１画面表示中か否かの判定を行う。ステップＳ５３で１画面表示中と判定（ステップＳ５３でＹＥＳ判定）されるとステップＳ５４に進み、ステップＳ５４において、表示中の画面に代替して選局されたチャンネルの画面を表示した後、ステップＳ５２の処理に戻る。一方、ステップＳ５３で１画面表示中ではないと判定（ステップＳ５３でＮＯ判定）されると（すなわち、２画面表示中であると判定されると）ステップＳ５５に進み、ステップＳ５５において、操作選択中の画面に新たな選局チャンネルの画面を表示した後、ステップＳ５２の処理に戻る。
【発明の開示】
【発明が解決しようとする課題】
【０００５】
上記したように、従来技術による２画面表示機能を持つテレビ受信機においては、１画面表示のときには、リモコンの選局操作を行うと、現在視聴中の画面が新たな選局チャンネルの画面に変更されるようになっており、このため、現在視聴中の画面を、リモコンを持つ他の視聴者の選局操作によって不意に変更されてしまうことがあり得、視聴中であった番組の連続性が途切れてしまう。
【０００６】
本発明は上記の点に鑑みなされたもので、その目的とするところは、多画面表示機能を持つテレビ受信機における１画面表示などの際に、他の視聴者の選局操作があっても、現在視聴中の番組画面が不意に途切れないようにすることにある。
【課題を解決するための手段】
【０００７】
上記した目的を達成するため、複数入力を画面分割で同時に表示することができるテレビ受信機において、視聴中に、視聴中の画面と異なる画面の割り込みが入ったときに、視聴中の画面と割り込みの入った画面とを画面分割して同時に表示する。  
また、発生させた画面分割による表示を、一定時間が経過すると非分割画面の表示に移行させる。  
また、複数入力を画面分割で同時に表示することができると共に、少なくても画面割り込みのためのリモコンコードが２系統以上受信できるテレビ受信機において、少なくても１系統以上のスレーブ的なリモコンコードによる、視聴中の画面と異なる画面表示の割り込みが入ったときに、視聴中の画面と割り込みの入った画面とを画面分割して同時に表示する。  
さらに、上記の画面制御機能を有効にするか否かの設定を、ユーザが行えるようにされる。
【発明の効果】
【０００８】
本発明によれば、視聴中に新たに画面の割り込みが入ったときには、視聴中の画面と割り込みの入った画面とを画面分割して同時に表示するので、新たな選局操作が入る前に視聴していた画面（番組）の連続性を保つことができる。  
また、チャンネル選局により発生した画面分割が、一定時間が経過すると非分割画面の表示に移行（タイマー機能により非分割画面に戻る）ようにすることで、選局により分割した画面（画面分割）がいつまでも残ることがなくなり、しかも、リモコン操作による画面分割解除の手間を省くことができる。  
また、スレーブ的なリモコンコードによる画面割り込みでは、視聴中の画面と割り込みの入った画面とを画面分割して同時に表示するので、マスターリモコンを持つ人の画面（マスターリモコンで選局された番組画面）の連続性を保つことができる。  
さらに、上記の機能を有効にするか、しないかを、ユーザーが設定できるようにすることにより、より好ましい画面制御が選択できるようになる。
【発明を実施するための最良の形態】
【０００９】
以下、本発明の実施の形態を、図面を用いて説明する。
【００１０】
＜第１実施形態＞
図１〜図３は、本発明の第１実施形態による２画面表示機能をもつテレビ受信機に係り、図１は、本第１実施形態のテレビ受信機の構成を示すブロック図である。
【００１１】
図１において、１はアンテナ、２は、アンテナ１で受信したテレビ放送波からユーザの選局操作に応じたチャンネルを選局する第１チューナ部、３は、第１チューナ部２の出力信号を復調して増幅する第１復調・増幅部、４は、アンテナ１で受信したテレビ放送波からユーザの選局操作に応じたチャンネルを選局する第２チューナ部、５は、第２チューナ部４の出力信号を復調して増幅する第２復調・増幅部、６は、第１復調・増幅部３の出力信号および／または第２復調・増幅部５の出力信号に基づき、表示部７で表示する画面（画像）の生成処理を行う表示制御部、７は、表示制御部６の出力する画像信号を画面（画像）表示する表示部、８は、テレビ受信機全体を統括制御し、ユーザのリモコン操作に応じて、第１、第２チューナ部２、４に選局動作を行わせたり、表示制御部６に画面のスケーリング・合成処理や、画面の切り替え処理を指示したりなどするコントローラ、９は、ユーザ操作によるリモコンからの信号（リモコンコード）を受信して操作内容を解釈し、ユーザによる操作内容をコントローラ８に知らせるリモコン受信部である。
【００１２】
図２は、本第１実施形態における、選局操作による画面制御の処理の流れを示すフローチャートであり、図３は、図２に示した処理フローの理解を補助するための画面遷移を表す図である。
【００１３】
図３において、１０１は、図２の処理フロー開始直後の１画面表示の画面を示し、１０２は、画面１０１の状態で選局が入り２画面表示になったときの画面を示している。画面１０２における２画面の要素として、ここでは、２画面の左側を画面表示領域「１」、右側を画面表示領域「２」と呼び、画面１０１に表示の画面が２画面表示のためスケーリングを行なった画面を１０６として画面表示領域「２」に表示し、新たに選局された画面を１０７として画面表示領域「１」に表示する。また、１０３は、画面１０２の状態のときに選局が入ったときの２画面表示画面を示している。画面１０３における２画面は、画面１０１に表示の画面が２画面表示のためスケーリングを行なった画面１０６と、新たに選局された画面１０８とで構成される。１０４は、画面１０２の状態でタイムアウトが発生して画面１０７の１画面表示に遷移したときの画面を示し、同様に、１０５は、画面１０３の状態でタイムアウトが発生して画面１０８の１画面表示に遷移したときの画面を示している。
【００１４】
図２、図３を用いて、もともと１画面で視聴していたところから、選局が発生したときの画面制御の動作を説明する。
【００１５】
まず、ステップＳ１において処理を開始し、ステップＳ２において、チャンネル選局が発生しているか否かの判定をする。ステップＳ２においてチャンネル選局の発生と判定（ステップＳ２でＹＥＳ判定）されるとステップＳ３に進み、ステップＳ３においてチャンネル変更からの経過時間を計測するタイマーをクリアした後、ステップＳ４に進んで、ステップＳ４において、１画面表示中か否かの判定を行う。ステップＳ４において１画面表示中でないと判定（ステップＳ４でＮＯ判定）されるとステップＳ７に進み、ステップＳ４において１画面表示中であると判定（ステップＳ４でＹＥＳ判定）されるとステップＳ５に進む。ステップＳ５においては、画面を２画面に分割し、２画面表示選択でない２画面表示中としてステップＳ６に進み、ステップＳ６においては、これまで１画面で表示中の画面をスケーリングを行って画面表示領域「２」に表示し、ステップＳ７へ進む。
【００１６】
図３に示した例では、当初、画面１０１の１画面表示状態なので、ステップＳ４からステップＳ５、ステップＳ６の処理を実行して、ステップＳ７へと進む。次に、ステップＳ７において、２画面のもう１つの表示領域（画面表示領域「１」）に新規に選局した画面をスケーリングを行って表示し、画面表示領域「１」の画面を操作画面として、ステップＳ２の処理に戻る。
【００１７】
画面１０２の状態で、再びステップＳ２においてチャンネル選局の発生と判定されると、現在２画面表示中なので、ステップＳ４からステップＳ７へと処理が切り替わり、非操作領域の画面１０６の映像はそのまま表示を続け、ステップＳ７において、操作画面の画面１０７を新規選局チャンネルの画面１０８に変更し、画面１０３としてステップＳ２の処理に戻る。
【００１８】
一方、ステップＳ２においてチャンネル選局ではないと判定（ステップＳ４でＮＯ判定）されるとステップＳ８に進み、ステップＳ８では、２画面表示選択によらない２画面表示中であるか否の判定を行い、２画面表示選択によらない２画面表示中のときには（ステップＳ８でＹＥＳ判定のときには）ステップＳ９に進み、それ以外のときには（ステップＳ８でＮＯ判定のときには）ステップＳ２の処理に戻る。なお、ここでいう「２画面表示選択によらない２画面表示中」という状態は、ステップＳ５で実行される１画面から選局による２画面になった状態を示し、その状態の解除は、ユーザのキー操作（例えば２画面解除キー）による１画面への遷移や、後で述べるステップＳ１０におけるタイムアウトによる１画面への遷移のときに行われる。
【００１９】
ステップＳ９においては、前回のチャンネル変更からの経過時間が、あらかじめ設定されている一定の時間を経過したか否かが判定され、あらかじめ設定されている一定の時間が経過していなければ（ステップＳ９でＮＯ判定のときには）、ステップＳ２の処理に戻り、あらかじめ設定されている一定の時間が経過していれば（ステップＳ９でＹＥＳ判定のときには）、ステップＳ１０に進んで、ステップＳ１０において、タイムアウトとして画面表示領域「２」の画面を閉じて画面表示領域「１」にあるチャンネルを１画面として表示する。タイムアウトの例として、０に設定するとタイムアウトまでの時間が極限まで短くなり２画面に分割しない、また無限大にするとタイムアウトをしないなどが考えられる。つまり、ステップＳ１０において、２画面表示の画面１０２、もしくは、画面１０３は、それぞれ、タイムアウトにより画面１０４、もしくは、画面１０５の１画面表示へと遷移する。
【００２０】
ここで、従来技術の画面制御機能と上述してきた本発明の画面制御機能とはトレードオフの関係があり、ユーザの嗜好によってどちらが好ましいかが異なる種類の機能なので、メニューによる設定やタイムアウト時間の設定や、ザッピングキーなどで、ユーザが任意に機能を切り換え設定できることが望ましく、本第１実施形態および後述する第２実施形態においては、上記のユーザによる機能の切り換え設定が可能となっており、この設定データ（設定状態）はコントローラ８が保持するようになっている。
【００２１】
＜第２実施形態＞
次に、本発明の第２実施形態による２画面表示機能をもつテレビ受信機について説明する。本第２実施形態のテレビ受信機の構成は、図１に示した第１実施形態のテレビ受信機の構成と同様であるので、その構成の図示は割愛する。本第２実施形態が前記第１実施形態と相違するのは、本第２実施形態では、リモコン受信部９が、マスターリモコンと呼ぶキーコード配列をもつリモコンと、スレーブリモコンと呼ぶ、一部、もしくは、すべてのキーがマスターリモコンと異なるキーコード配列をもつ、２系統以上のリモコン配列を受信できる機能（受信して操作内容を解釈する機能）を有しており、リモコン受信部９から、リモコンによる操作内容をリモコン種別と対応付けて、コントローラ８に通知するようにした点にある。
【００２２】
図４は、本第２実施形態における、選局操作による画面制御の処理の流れを示すフローチャートである。次に、図４を用いて、本第２実施形態における、選局操作による画面制御の動作を説明する。
【００２３】
まず、ステップＳ２１において処理を開始し、ステップＳ２２において、チャンネル選局が発生しているか否かの判定をし、チャンネル選局が発生していない場合（ステップＳ２２でＮＯ判定された場合）は、チャンネル選局の発生までステップＳ２２の処理を繰り返す。ステップＳ２２においてチャンネル選局の発生と判定（ステップＳ２２でＹＥＳ判定）されるとステップＳ２３に進み、ステップＳ２３において、選局操作のリモコンコードがマスターリモコンからのリモコン操作によるものか否かを判定する。マスターリモコンからのリモコンコードである場合（ステップＳ２３でＹＥＳ判定の場合）にはステップＳ２８に進み、スレーブリモコンからのリモコンコードである場合（ステップＳ２３でＮＯ判定の場合）にはステップＳ２４に進む。
【００２４】
ステップＳ２８においては、１画面表示中であるか否かの判定を行い、１画面表示中である場合（ステップＳ２８でＹＥＳ判定の場合）にはステップＳ２９に進み、ステップＳ２９では、表示中の画面に代替して、選局チャンネルの画面を表示して、ステップＳ２２の処理に戻る。一方、ステップＳ２８において１画面表示中ではない（２画面表示中である）と判定（ステップＳ２８でＮＯ判定）されるとステップＳ３０に進み、ステップＳ３０では、操作選択中の画面に代替して、新たに選局チャンネルの画面を表示して、ステップＳ２２の処理に戻る。
【００２５】
また、ステップＳ２３において、選局操作のリモコンコードがマスターリモコンからのものではない（すなわち、選局操作のリモコンコードがスレーブリモコンからのものである）と判定（ステップＳ２３でＮＯ判定）されるとステップＳ２４に進み、ステップＳ２４において、１画面表示中であるか否かの判定を行う。ステップＳ２４において、１画面表示中であると判定（ステップＳ２４でＹＥＳ判定）されるとステップＳ２５に進み、１画面表示中でないと判定（ステップＳ２４でＮＯ判定）されるとステップＳ２７に進む。ステップＳ２５では画面を２画面に分割して、ステップＳ２６に進み、ステップＳ２６では、これまで１画面で表示中の画面をスケーリングを行って画面表示領域「２」に表示し、ステップＳ２７に進む。ステップＳ２７では、２画面のもう１つ表示領域（画面表示領域「１」）に新規に選局した画面をスケーリングを行って表示し、ステップＳ２２の処理に戻る。
【００２６】
なお、上記した例では、スレーブリモコンとマスターリモコンとは動作が異なる２つのリモコンとして取り扱っているが、メニューなどで、動作が同じ２つのリモコンとして取り扱うことができるようにする。つまり、マスターリモコンがフルキーの操作が可能なリモコンとして、スレーブリモコンは操作可能なキーを一般的に多く使われるキーに限定して、簡易型のリモコンとすることにより、操作が同じ２つのリモコンとして取り扱ったとき、メインリモコンとサブリモコンとすることができメリットがある。
【００２７】
なおまた、リモコンを物理的にマスター／スレーブとしてしまうだけではなく、例えばテレビをパワーオンしたリモコンからの操作をマスターとし、それと異なるリモコン系列からの選局コードをスレーブとして、第２実施形態で記述した動作を行わせるようにすることで、はじめに操作を行った人にマスターの権利を与えることが可能となる。
【００２８】
ここで、主に裏でどんな番組が行われているかのザッピングなどに用いるときには、必ずしも操作側に音声を出す必要があるとはいえないので、操作側イコール音声だけでなく、メニューやキー設定により自由度をもたせることへの検討が必要となる。
【００２９】
また、上述した第１、第２実施形態では、１画面と２画面の例を用いて説明しているが、もともと２画面表示をしているときに非操作側の画面を固定の画面として、操作側の画面を上述した実施形態の１画面としてさらに２分割することにより、３画面以上の複数画面のときにも本発明が有効となる。
【００３０】
また、上述した第１、第２実施形態では説明の便宜上、２画面の左側を画面表示領域「１」、右側を画面表示領域「２」と呼んでいるが、画面操作領域は先の説明のものに限定されるものではない。
【図面の簡単な説明】
【００３１】
【図１】本発明の第１実施形態に係るテレビ受信機の構成を示すブロック図である。
【図２】本発明の第１実施形態に係るテレビ受信機における、選局操作による画面制御の処理の流れを示すフローチャートである。
【図３】本発明の第１実施形態に係るテレビ受信機における、画面遷移の例を示す説明図である。
【図４】本発明の第２実施形態に係るテレビ受信機における、選局操作による画面制御の処理の流れを示すフローチャートである。
【図５】従来のテレビ受信機における、選局操作による画面制御の処理の流れを示すフローチャートである。
【符号の説明】
【００３２】
１  アンテナ
２  第１チューナ部
３  第１復調・増幅部
４  第２チューナ部
５  第２復調・増幅部
６  表示制御部
７  表示部
８  コントローラ
９  リモコン受信部
【図１】
2007251369.tif 000003
【図２】
2007251369.tif 000004
【図４】
2007251369.tif 000005
【図５】
2007251369.tif 000006
【図３】
2007251369.tif 000007